【事件の表示】
　特許第３１２７９０２号「プリンタ、印刷制御方法及び記録媒体」の請求項１乃至７に係る特許に対する特許異議の申立てについて、次のとおり決定する。
【結　論】
　訂正を認める。
　特許第３１２７９０２号の請求項１乃至７に係る特許を維持する。
【理　由】
１．手続の経緯
　特許出願　　　　　　　　　　　　　　平成１０年１０月１４日　
　特許権設定登録                      平成１２年１１月１０日
　特許異議申し立て（申立人相原光政、請求項１乃至７に係る特許）
　　　　　　　　　　　　　　　　　　　平成１３年　７月３０日
　取消理由通知（第１回）              平成１３年１２月　７日
　訂正請求（第１回、後日取り下げ）    平成１４年　２月１８日
　審尋（対申立人、第１回）            平成１４年　５月　２日
　回答書提出（申立人、第１回）　　　　平成１４年　６月１７日
　取消理由通知（第２回）　　　　　　　平成１４年　７月２２日
　訂正請求（第２回）　　　　　　　　　平成１４年１０月　１日
　審尋（対申立人、第２回）　　　　　　平成１４年１２月２４日
　回答書提出（申立人、第２回）　　　　平成１５年　２月１０日
　　　
２．訂正の適否
（１）訂正の内容
　特許権者の求めている訂正の内容は、以下のとおりである（訂正箇所にアンダーラインを付した。）。
　ア．訂正事項ａ
　特許請求の範囲を、
「【請求項１】印刷を行う印刷部と、前記印刷部に紙を搬送する搬送部とを備えるプリンタであって、
　記録媒体から画像データを取得するデータ取得部と、
　印刷を所望する画像データと前記画像データの印刷条件を設定する印刷設定手段と、前記設定された印刷条件を確定する印刷条件確定手段とを有する入力部と、
　複数の画像データの各々に対して確定された前記印刷条件を前記各画像データに関連付けて順次記憶可能な記憶部と、
　前記設定された画像データを前記データ取得部から取得し、前記記憶部から前記確定された印刷条件を呼び出し、前記取得した画像データ及び呼び出された印刷条件に基づいて前記印刷部及び搬送部を制御する制御部と、
を備え、
　
前記印刷条件は、画像データの識別コードを含み、
　
前記記憶部には、確定された前記識別コードを含む印刷条件が、前記印刷条件確定手段が操作された順番で順次記憶され、
　
前記制御部は、印刷処理を行う際に、前記記憶部に記憶された前記確定された前記識別コードを含む印刷条件を、前記記憶部に記憶された順番で、先に記憶されたものから順次呼び出し、該識別コードを用いて、該印刷条件に対応する画像データを、前記データ取得部により前記記憶媒体から取得する、
　
ことを特徴とする
【請求項２】　前記制御部は、前記印刷条件確定手段から所定時間内に続けて入力される同一の画像データに対する同一の印刷条件を確定する指示データのうち、後に入力された指示データを無視する請求項１記載のプリンタ。
【請求項３】　前記入力部は、前記記憶部に記憶された複数の画像データの各々に対して確定された印刷条件を消去する取り消し手段を有する請求項１又は２に記載のプリンタ。
【請求項４】　印刷を行う印刷部と、前記印刷部に紙を搬送する搬送部と、記録媒体から画像データを取得するデータ取得部とを備えるプリンタを制御する印刷制御方法であって、
（ａ）印刷を所望する画像データの指定と前記画像データに対して設定された印刷条件と前記画像データの印刷開始命令とを受け付ける段階と、
（ｂ）前記印刷開始命令が受け付けられたとき前記指定された画像データに関連付けて前記設定された印刷条件を記憶する段階と、
（ｃ）前記指定された画像データを前記記録媒体から取得し、前記設定された印刷条件を呼び出し、前記取得された画像データ及び呼び出された印刷条件に基づいて前記印刷部及び搬送部を制御する段階と、を含み、
　前記（ｃ）の段階において、他の画像データについての前記（ａ）、（ｂ）の段階を実行可能
であり、
　
前記印刷条件は、画像データの識別コードを含み、
　
前記設定された前記識別コードを含む印刷条件を、前記印刷開始命令が受け付けられた順番で順次記憶し、
　
印刷処理を行う際に、記憶された前記設定された前記識別コードを含む印刷条件を、記憶された順番で、先に記憶されたものから順次呼び出し、該識別コードを用いて、該印刷条件に対応する画像データを、前記データ取得部により前記記憶媒体から取得する、
　ことを特徴とする印刷制御方法。
【請求項５】　同一の画像データに対する同一の印刷条件を設定する印刷開始命令が所定時間内に続けて受け付けられた場合、後の印刷開始命令を無視する段階を含む請求項４記載の印刷制御方法。
【請求項６】　印刷を行う印刷部と、前記印刷部に紙を搬送する搬送部と、記録媒体から画像データを取得するデータ取得部とを備えるプリンタを制御するためのコンピュータプログラムを記録した記録媒体であって、
（ａ）印刷を所望する画像データの指定と前記画像データに対して設定された印刷条件と前記画像データの印刷開始命令とを受け付ける手順と、
（ｂ）前記印刷開始命令が受け付けられたとき前記指定された画像データに関連付けて前記設定された印刷条件を記憶する手順と、
（ｃ）前記指定された画像データを前記記録媒体から取得し、前記設定された印刷条件を呼び出し、前記取得された画像データ及び呼び出された印刷条件に基づいて前記印刷部及び搬送部を制御する手順と、を含み、
　前記（ｃ）の手順を実行中に、他の画像データについての前記（ａ）、（ｂ）の手順を実行可能で
あり、
　
前記印刷条件は、画像データの識別コードを含み、　前記設定された前記識別コードを含む印刷条件を、前記印刷開始命令が受け付けられた順番で順次記憶し、
　
印刷処理を行う際に、記憶された前記設定された前記識別コードを含む印刷条件を、記憶された順番で、先に記憶されたものから順次呼び出し、該識別コードを用いて、該印刷条件に対応する画像データを、前記データ取得部により前記記憶媒体から取得す
【請求項７】　同一の画像データに対して同一の印刷条件を設定する印刷開始命令が所定時間内に続けて受け付けられた場合、後の印刷開始命令を無視する手順を含む請求項６記載のコンピュータプログラムを記録した記録媒体。」
と訂正する。
イ．訂正事項ｂ      
　段落【０００９】、及び【００１３】の各記載を、それぞれ、
「【課題を解決するための手段】
　
本件発明の請求項１記載のプリンタは、印刷を行う印刷部と、前記印刷部に紙を搬送する搬送部とを備えるプリンタであって、記録媒体から画像データを取得するデータ取得部と、印刷を所望する画像データと前記画像データの印刷条件を設定する印刷設定手段と、前記設定された印刷条件を確定する印刷条件確定手段とを有する入力部と、複数の画像データの各々に対して確定された前記印刷条件を前記各画像データに関連付けて順次記憶可能な記憶部と、前記設定された画像データを前記データ取得部から取得し、前記記憶部から前記確定された印刷条件を呼び出し、前記取得した画像データ及び呼び出された印刷条件に基づいて前記印刷部及び搬送部を制御する制御部と、を備え、前記印刷条件は、画像データの識別コードを含み、前記記憶部には、確定された前記識別コードを含む印刷条件が、前記印刷条件確定手段が操作された順番で順次記憶され、前記制御部は、印刷処理を行う際に、前記記憶部に記憶された前記確定された前記識別コードを含む印刷条件を、前記記憶部に記憶された順番で先に記憶されたものから順次呼び出し、該識別コードを用いて、該印刷条件に対応する画像データを、前記データ取得部により前記記憶媒体から取得する、ことを特徴とするプリンタ、である。
および
「
本件発明の請求項４記載の印刷制御方法は、印刷を行う印刷部と、前記印刷部に紙を搬送する搬送部と、記録媒体から画像データを取得するデータ取得部とを備えるプリンタを制御する印刷制御方法であって、（ａ）印刷を所望する画像データの指定と前記画像データに対して設定された印刷条件と前記画像データの印刷開始命令とを受け付ける段階と、（ｂ）前記印刷開始命令が受け付けられたとき前記指定された画像データに関連付けて前記設定された印刷条件を記憶する段階と、（ｃ）前記指定された画像データを前記記録媒体から取得し、前記設定された印刷条件を呼び出し、前記取得された画像データ及び呼び出された印刷条件に基づいて前記印刷部及び搬送部を制御する段階と、を含み、前記（ｃ）の段階において、他の画像データについての前記（ａ）、（ｂ）の段階を実行可能であり、前記印刷条件は、画像データの識別コードを含み、前記設定された前記識別コードを含む印刷条件を、前記印刷開始命令が受け付けられた順番で順次記憶し、印刷処理を行う際に、記憶された前記設定された前記識別コードを含む印刷条件を、前記記憶部に記憶された順番で先に記憶されたものから順次呼び出し、該識別コードを用いて、該印刷条件に対応する画像データを、前記データ取得部により前記記憶媒体から取得する、ことを特徴とする印刷制御方法であり、本件発明の請求項６記載の記録媒体は、印刷を行う印刷部と、前記印刷部に紙を搬送する搬送部と、記録媒体から画像データを取得するデータ取得部とを備えるプリンタを制御するためのコンピュータプログラムを記録した記録媒体であって、（ａ）印刷を所望する画像データの指定と前記画像データに対して設定された印刷条件と前記画像データの印刷開始命令とを受け付ける手順と、（ｂ）前記印刷開始命令が受け付けられたとき前記指定された画像データに関連付けて前記設定された印刷条件を記憶する手順と、（ｃ）前記指定された画像データを前記記録媒体から取得し、前記設定された印刷条件を呼び出し、前記取得された画像データ及び呼び出された印刷条件に基づいて前記印刷部及び搬送部を制御する手順と、を含み、前記（ｃ）の手順を実行中に、他の画像データについての前記（ａ）、（ｂ）の段階を実行可能であり、前記印刷条件は、画像データの識別コードを含み、前記設定された前記識別コードを含む印刷条件を、前記印刷命令が受け付けられた順番で順次記憶し、印刷処理を行う際に、記憶された前記設定された前記識別コードを含む印刷条件を、記憶された順番で、先に記憶されたものから順次呼び出し、該識別コードを用いて、該印刷条件に対応する画像データを、前記データ取得部により前記記憶媒体から取得するコンピュータプログラムを記録した記録媒体、である。
と訂正する。
　　　
（２）訂正の目的の適否、新規事項の有無及び拡張・変更の存否
　ア．訂正事項ａについて
　上記訂正事項ａに関連する記載として、願書に添付した明細書（以下、特許明細書という。）には、「タスクリストは、概念上図８に示すようなものとして把握されるものである。すなわち、ＲＡＭ空間上に予め１９９件の印刷設定データを格納する空間を有し、それぞれの空間に識別子の付された印刷条件データを順に格納する。図７に示すように、制御部３は、タスクリストの最前部にデータが格納されていれば（Ｓ１０）、タスクリストの最前部に格納された印刷設定データを呼び出し（Ｓ２０）、識別コードによって印刷設定データに対応する電子データを第１データ取得部７から呼び出し（Ｓ３０）、呼び出した印刷設定データ及び電子データに基づいて印刷ファイルを記憶部６に展開し、その印刷ファイルに基づいて搬送部１及び印刷部２を駆動して印刷する（Ｓ４０）。１つの印刷設定データに対応する印刷が終了するとその印刷設定データをＲＡＭから消去し（Ｓ５０）、他の印刷設定データがタスクリストに格納されている場所をそれぞれ１つずつ繰り上げる（Ｓ６０）。さらに、タスクリストに印刷設定データが格納されていれば（Ｓ１０）、タスクリストの最前部に格納された印刷設定データを呼び出し連続して印刷を行う。」（段落【００５２】〜【００５３】）と記載されている。
　してみると、上記訂正事項ａは、特許明細書または図面に記載した範囲内で、請求項１において、記憶される印刷条件が、画像データの識別コードを含むこと、該印刷条件が、印刷条件確定手段の操作された順番で順次記憶されること、および、制御部が、印刷処理を行う際に、該印刷条件を記憶された順番で、先に記憶されたものから順次呼び出すと共に、前記識別コードを用いて、該印刷条件に対応する画像データを記憶媒体から取得することを限定し、また、請求項４及び６において、記憶される印刷条件が、画像データの識別コードを含むこと、該印刷条件を、印刷開始命令が受け付けられた順番で順次記憶すること、および、印刷処理を行う際に、該印刷条件を、記憶された順番で、先に記憶されたものから順次呼び出すと共に、前記識別コードを用いて該印刷条件に対応する画像データを記憶媒体から取得することを限定したものである。
　ゆえに、上記訂正事項ａは、特許請求の範囲の減縮を目的としたものであって、新規事項の追加に該当せず、実質的に特許請求の範囲を拡張変更するものでない。
　イ．訂正事項ｂについて
　上記訂正事項ｂは、上記訂正事項ａに伴い、特許請求の範囲の記載と発明の詳細な説明の記載との整合を図るため、発明の詳細な説明の記載を訂正したもので、明瞭でない記載の釈明を目的としたものであって、新規事項の追加に該当せず、実質的に特許請求の範囲を拡張変更するものでない。
　　　
（３）むすび
　以上のとおりであるから、上記訂正は、特許法第１２０条の４第２項及び同条第３項で準用する特許法第１２６条第２項及び第３項の規定に適合するので、当該訂正を認める。
　　　　
３．特許異議申し立てについての判断
（１）本件請求項１乃至７に係る発明
　上記２．で示したように上記訂正が認められるから、本件請求項１乃至７に係る発明（以下、「本件発明１乃至７」という。）は、上記訂正に係る訂正明細書の特許請求の範囲の請求項１乃至７に記載された事項により特定されるとおりのものである。（上記２．（１）ア．訂正事項ａ参照）
　　　　
（２）引用刊行物に記載された発明
　当審が平成１４年７月２２日付で通知した取消理由に引用した刊行物である特開平８−２０２０号公報（＝申立人が平成１４年６月１７日付の回答書で「甲第５号証」として提出したもの）には、本件発明１乃至７に関連する事項として、以下のような事項が記載されている。
　ア．「メモリカード２に記憶されている各静止画は、記憶された順番でインデッス番号が一緒に記憶される。 」（段落【００１０】参照）
  イ．「カードＩ／Ｆ３にカードメモリ２が接続されると、システムコントローラ１０は、メモリカード２を調べ、メモリカード２に記憶されている静止画のそれぞれに対応したカウンタをＲＡＭ２０に用意する。例えば、メモリカード２に４０個の静止画が記憶されていれば、４０個のカウンタが用意される。」（段落【００２１】参照）
　ウ．「操作者は、プリントしたい静止画が表示されている部分のタッチパネルセンサ６をタッチして、その静止画についてのプリントの指示をする。また、１つの静止画に対して複数のプリントを作成したいときには、プリントしたい枚数と同じ回数だけその表示部分のタッチパネルセンサ６をタッチする。」（段落【００３２】参照）
　エ．「システムコントローラ１０は、最初にプリント指示された時点から、最初にプリント指示された静止画に対してのプリントを作成する制御を各部に対して開始する。システムコントローラ１０は、最初にカウント値が増えたカウンタに対応した静止画のインデックス番号を指定し、この静止画の圧縮データをメモリカード２から読み出す指示をカードＩ／Ｆ３に指示する。同時に、データ展開回路１１からの輝度データとカラーデータとをＹＭＣ変換回路１３に送るようにセレクタ２５を切り替える。」（段落【００３６】）
　オ．「静止画が熱記録されたカラー感熱記録紙５は、ビデオプリンタのプリント排出口４から排出される。このカラー感熱記録紙５の排紙が完了すると、システムコントローラ１０は、このプリントされた静止画に対応したカウント値を１減らす。最初にプリント指示された静止画に対応するカウント値が１以上であれば、システムコントローラ１０は、再度カードＩ／Ｆ３にこのインデックス番号の静止画の圧縮データの読み出しを指示し、この静止画についてプリントをする。・・・同様にしてメモリカード２から圧縮データが読み出されて、プリントが作成される。以上の動作は、プリント指示された静止画に対応したカウント値が「０」になるまで行われ、プリント指示した静止画に指定された枚数分のプリントが作成される。最初にプリント指示した静止画に対応したカウント値が「０」になると、・・・さらに他の静止画がプリント指示されているときには、システムコントローラ１０は、カードＩ／Ｆ３に対して、２番目にプリント指示された静止画のインデックス番号を指定して、この静止画の圧縮データをメモリカード２から読み出す指示をする。・・・２番目にプリント指示された静止画の圧縮データは、メモリカード２から読み出され、データ展開回路１１，ＹＭＣ変換回路１３を介して画像処理回路２１に送られ、上記同様にして、この静止画のプリントが作成される。そして、この静止画に対応したカウント値が「０」になるまで、プリント作成が行われ、指示された枚数のプリントが作成される。このようにして、プリント指示された静止画全てのプリントの作成がされる。」（段落【００４１】〜【００４３】参照。）
　　　　
（４）対比・判断 
　ア．本件発明１について、
　まず、本件発明１と上記刊行物に記載された発明とを対比するに、
　上記刊行物には、上記記載事項（３）ア．〜オ．からみて、
「印刷を行う印刷部と、前記印刷部に紙を搬送する搬送部とを備えるプリンタであって、
　記録媒体から画像データを取得するデータ取得部と、
　印刷を所望する画像データと前記画像データの印刷枚数（印刷条件）を設定及び確定する印刷設定及び確定手段を有する入力部と、
　複数の画像データの各々に対して設定及び確定された前記印刷枚数（印刷条件）に対応するカウント値を持つ前記各画像データ毎に用意された複数のカウンタと、
　前記設定及び確定された各画像データを前記データ取得部から取得し、前記取得した画像データ及び印刷枚数を示す前記のカウンタのカウント値に基づいて前記印刷部及び搬送部を制御する制御部と、
を備えたプリンタ。」
が記載されている（本件発明１に対応する構成は、本件発明１の用語を使用した。）。
　しかし、上記刊行物には、本件発明１の特定する事項のうち、 
　「設定及び確定された画像の識別コードを含む印刷条件が、前記印刷条件確定手段が操作された順番で順次記憶される記憶部と、
印刷処理を行う際に、前記記憶部に記憶された前記確定された前記識別コードを含む印刷条件を、前記記憶部に記憶された順番で先に記憶されたものから順次呼び出し、該識別コードを用いて、該印刷条件に対応する画像データを、前記データ取得部により前記記憶媒体から取得する制御部とを、
備えるプリンタ」
の点
について、記載も示唆もされていない。
　また、この点は、申立人が提出した特開平８−３０７５８３号公報（＝特許異議申立書添付の甲第１号証）、特開平９−９３３７６号公報（＝同甲第２号証）、特開平６−１４９４３６号公報（＝同甲第３号証）、特開昭６３−２８８７７１号公報（＝同甲第４号証）、特開平１０−１９３７４９号公報（＝平成１５年２月１０日付回答書に添付の甲第６号証）、特開平８−１８９１１号公報（＝同甲第７号証）、特開平６−８５３７号公報（＝同甲第８号証）および特開平８−３２１９０２号公報（＝同甲第９号証）のいずれにも、記載も示唆もされていなく、また、当該技術分野において自明な事項でもない。
　敷衍すると、上記甲第１、２、３、４、６、９号証には、印刷処理を行う際に、印刷装置本体内の記憶部から印刷条件を呼び出すと共に、該印刷条件に対応する画像データを印刷装置本体外の記憶媒体から取得する制御部を備える点について、記載も示唆もなく、甲第７、８号証には、上記刊行物と同様に、印刷処理を行う際に、印刷条件に対応する画像データを印刷装置本体外の記憶媒体から取得する制御部を備えることは記載されているものの、甲第７、８号証の印刷条件は、一旦、印刷装置本体外の記録媒体に記憶され、印刷処理を行う際に、再び、印刷装置本体の記憶部に記憶してから、該記憶部から呼び出されるものであり、しかも、甲第７、８号証には、各印刷対象の印刷条件の確定操作の順番、記憶部に記憶される順番及び呼び出される順番について、記載も示唆もされていない。
　また、複数の異なる印刷対象を異なる印刷枚数等の印刷条件で、連続的に、印刷処理を行うための、印刷対象の識別コードを含む印刷枚数等の印刷条件を、設定及び確定して記憶する記憶部を、印刷装置の本体に備えることについては、上記甲第１、６号証に記載されているものの、いずれも、各印刷対象の印刷条件の確定操作の順番、記憶部に記憶される順番及び呼び出される順番について、記載も示唆もされていない。
  また、申立人の提出した上記刊行物及び上記甲第１、２、３、４、６、７、８、９号証の各発明を組み合わせについてみるに、
　上記刊行物の、各画像毎の印刷枚数（印刷条件）の確定に各画像毎に用意されたカウンタを使用するプリンタの発明に、上記甲第１及び６号証の発明を組み合わせる動機付けがなく、また、仮に組み合わせても、本件発明１には到達することができず、さらに、申立人の提出した上記刊行物及び上記甲第１、２、３、４、６、７、８、９号証の各発明をいかに組み合わせても、本件発明１に到達することができない。
　そして、本件発明１は、これらの点を具備することにより、複数の印刷条件の設定及び確定と印刷処理の操作において、上記刊行物及び上記甲第１、２、３、４、６、７、８、９号証のいずれにも記載されていない作用効果を奏するものである。
　したがって、本件発明１は、上記刊行物及び上記甲第１、２、３、４、６、７、８、９号証に記載されたものと同一といえないばかりでなく、これらから当業者が容易に発明をすることができたものともいえない。
　　　
　イ．本件発明４及び６について                                        本件発明４及び６と上記刊行物に記載された発明を対比すると、
　上記刊行物には、本件発明４及び６のそれぞれを特定する事項のうち、
　「印刷条件が、画像データの識別コードを含み、
　前記設定された前記識別コードを含む印刷条件を、前記印刷開始命令が受け付けられた順番で順次記憶し、
　印刷処理を行う際に、記憶された前記設定された前記識別コードを含む印刷条件を、記憶された順番で、先に記憶されたものから順次呼び出し、該識別コードを用いて、該印刷条件に対応する画像データを、前記データ取得部により前記記憶媒体から取得する」
点について、記載も示唆もない。     
　この点は、上記甲第１、２、３、４、６、９号証のいずれにも、記載も示唆もされていなく、また、当該技術分野において自明な事項でもない。
　敷衍すると、上記甲第１、２、３、４、６、９号証には、印刷処理を行う際に、印刷装置本体内の記憶部から印刷条件を呼び出すと共に、該印刷条件に対応する画像データを印刷装置本体外の記憶媒体から取得することについて、記載も示唆もなく、甲第７、８号証には、上記刊行物と同様に、印刷処理を行う際に、印刷条件に対応する画像データを印刷装置本体外の記憶媒体から取得することは記載されているものの、甲第７、８号証の印刷条件は、一旦、印刷装置本体外の記録媒体に記憶され、印刷処理を行う際に、再び、印刷装置本体の記憶部に記憶してから、該記憶部から呼び出されるものであり、しかも、甲第７、８号証には、各印刷対象の印刷開始命令が受け付けられる順番、記憶部に記憶される順番及び呼び出される順番について、記載も示唆もされていない。
　また、複数の異なる印刷対象を異なる印刷枚数等の印刷条件で、連続的に、印刷処理を行うための、印刷対象の識別コードを含む印刷枚数等の印刷条件を、設定及び確定して記憶することについては、上記甲第１、６号証に記載されているものの、いずれも、各印刷対象の印刷開始命令が受け付けられる順番、記憶部に記憶される順番及び呼び出される順番について、記載も示唆もされていない。      
　また、申立人の提出した上記刊行物及び上記甲第１、２、３、４、６、７、８、９号証の各発明を組み合わせについてみるに、
　上記刊行物の、各画像毎の印刷枚数（印刷条件）の確定に各画像毎に用意されたカウンタを使用するプリンタの発明に、上記甲第１及び６号証の発明を組み合わせる動機付けがなく、また、仮に組み合わせても、本件発明４及び６に到達することができず、さらに、申立人の提出した上記刊行物及び上記甲第１、２、３、４、６、７、８、９号証の各発明をいかに組み合わせても、本件発明４及び６に到達することができない。
　そして、本件発明４及び６は、これらの点を具備することにより、複数の印刷条件の設定及び確定と印刷処理の操作において、上記刊行物及び上記甲第１、２、３、４、６、７、８、９号証のいずれにも記載されていない作用効果を奏するものである。
　したがって、本件発明４及び６は、上記刊行物及び上記甲第１、２、３、４、６、７、８、９号証に記載されたものと同一といえないばかりでなく、これらから当業者が容易に発明をすることができたものともいえない。
　　　　
　ウ．本件発明２、３、５、７について、
　本件発明２及び３は、本件発明１を技術的に限定したものであり、また、本件発明５及び７は、本件発明４及び６のそれぞれを技術的に限定したものであるから、本件発明２及び３は、本件発明１の判断と同様な理由で、本件発明５及び７は、本件発明４及び６の判断と同様な理由で、上記刊行物及び上記甲第１、２、３、４、６、７、８、９号証に記載されたものと同一といえないばかりでなく、これらから当業者が容易に発明をすることができたものともいえない。
             
（５）むすび
　以上のとおりであるから、本件請求項１乃至７に係る発明についての特許は、特許異議申し立ての理由によっては取り消すことができなく、また、他に、本件請求項１乃至７に係る発明についての特許を取り消すべき理由を発見しない。
　よって、結論のとおり決定する。 
【異議決定日】
平成１５年４月１４日（２００３．４．１４）
【訂正の要旨】
▲１▼訂正事項ａ
　特許請求の範囲の請求項１中の「を備えるプリンタ。」とあるのを、特許請求の範囲の減縮を目的として、「を備え、前記印刷条件は、画像データの識別コードを含み、前記記憶部には、確定された前記識別コードを含む印刷条件が、前記印刷条件確定手段が操作された順番で順次記憶され、前記制御部は、印刷処理を行う際に、前記記憶部に記憶された前記確定された前記識別コードを含む印刷条件を、前記記憶部に記憶された順番で、先に記憶されたものから順次呼び出し、該識別コードを用いて、該印刷条件に対応する画像データを、前記データ取得部により前記記録媒体から取得する、ことを特徴とするプリンタ。」と訂正する。
▲２▼訂正事項ｂ
　特許請求の範囲の請求項４中の「実行可能な印刷制御方法。」とあるのを、特許請求の範囲の減縮を目的として、「実行可能であり、前記印刷条件は、画像データの識別コードを含み、前記設定された前記識別コードを含む印刷条件を、前記印刷開始命令が受け付けられた順番で順次記憶し、印刷処理を行う際に、記憶された前記設定された前記識別コードを含む印刷条件を、記憶された順番で、先に記憶されたものから順次呼び出し、該識別コードを用いて、該印刷条件に対応する画像データを、前記データ取得部により前記記録媒体から取得する、ことを特徴とする印刷制御方法。」と訂正する。
▲３▼訂正事項ｃ
　特許請求の範囲の請求項６中の「実行可能なコンピュータプログラムを記録した記録媒体。」とあるのを、特許請求の範囲の減縮を目的として、「実行可能であり、前記印刷条件は、画像データの識別コードを含み、前記設定された前記識別コードを含む印刷条件を、前記印刷開始命令が受け付けられた順番で順次記憶し、印刷処理を行う際に、記憶された前記設定された前記識別コードを含む印刷条件を、記憶された順番で、先に記憶されたものから順次呼び出し、該識別コードを用いて、該印刷条件に対応する画像データを、前記データ取得部により前記記録媒体から取得するコンピュータプログラムを記録した記録媒体。」と訂正する。
▲４▼訂正事項ｄ
　上記訂正事項ａとの関係において特許請求の範囲の記載と発明の詳細な説明の記載との整合を図るため、明りょうでない記載の釈明を目的として、特許明細書【０００９】の「本発明の請求項１記載のプリンタによると、記録媒体から画像データを取得するデータ取得部と、印刷を所望する画像データと画像データの印刷条件を設定する印刷設定手段と、設定された印刷条件を確定する印刷条件確定手段とを有する入力部と、複数の画像データの各々に対して確定された印刷条件を各画像データに関連付けて順次記憶可能な記憶部と、設定された画像データをデータ取得部から取得し、記憶部から確定された印刷条件を呼び出し、取得した画像データ及び呼び出された印刷条件に基づいて印刷部及び搬送部を制御する制御部とを備える。このため、印刷設定データを記憶部に蓄積しておくことによって連続して印刷条件を設定することができる。さらに、異なる印刷条件を連続して設定することができる。」とあるのを、「本発明の請求項１記載のプリンタは、印刷を行う印刷部と、前記印刷部に紙を搬送する搬送部とを備えるプリンタであって、記録媒体から画像データを取得するデータ取得部と、印刷を所望する画像データと前記画像データの印刷条件を設定する印刷設定手段と、前記設定された印刷条件を確定する印刷条件確定手段とを有する入力部と、複数の画像データの各々に対して確定された前記印刷条件を前記各画像データに関連付けて順次記憶可能な記憶部と、前記設定された画像データを前記データ取得部から取得し、前記記憶部から前記確定された印刷条件を呼び出し、前記取得した画像データ及び呼び出された印刷条件に基づいて前記印刷部及び搬送部を制御する制御部と、を備え、前記印刷条件は、画像データの識別コードを含み、前記記憶部には、確定された前記識別コードを含む印刷条件が、前記印刷条件確定手段が操作された順番で順次記憶され、前記制御部は、印刷処理を行う際に、前記記憶部に記憶された前記確定された前記識別コードを含む印刷条件を、前記記憶部に記憶された順番で、先に記憶されたものから順次呼び出し、該識別コードを用いて、該印刷条件に対応する画像データを、前記データ取得部により前記記録媒体から取得する、ことを特徴とするプリンタ、である。」と訂正する。
▲５▼訂正事項ｅ
　上記訂正事項ｂ及び訂正事項ｃとの関係において特許請求の範囲の記載と発明の詳細な説明の記載との整合を図るため、明りょうでない記載の釈明を目的として、特許明細書【００１３】の「本発明の請求項４記載の印刷制御方法又は請求項６記載の記録媒体によると、（ａ）印刷を所望する画像データの指定と画像データに対して設定された印刷条件と画像データの印刷開始命令とを受け付ける段階（手順）と、（ｂ）印刷開始命令が受け付けられたとき指定された画像データに関連付けて設定された印刷条件を記憶する段階（手順）と、（ｃ）指定された画像データを記録媒体から取得し、設定された印刷条件を呼び出し、取得された画像データ及び呼び出された印刷条件に基づいて印刷部及び搬送部を制御する段階（手順）と、を含み、（ｃ）の段階において、又は（ｃ）の手順を実行中に、他の画像データについての（ａ）、（ｂ）の段階又は手順を実行可能とする。
　このため、印刷条件の設定を蓄積しておくことによって連続して印刷条件を設定することができる。」とあるのを、「本発明の請求項４記載の印刷制御方法は、印刷を行う印刷部と、前記印刷部に紙を搬送する搬送部と、記録媒体から画像データを取得するデータ取得部とを備えるプリンタを制御する印刷制御方法であって、（ａ）印刷を所望する画像データの指定と前記画像データに対して設定された印刷条件と前記画像データの印刷開始命令とを受け付ける段階と、（ｂ）前記印刷開始命令が受け付けられたとき前記指定された画像データに関連付けて前記設定された印刷条件を記憶する段階と、（ｃ）前記指定された画像データを前記記録媒体から取得し、前記設定された印刷条件を呼び出し、前記取得された画像データ及び呼び出された印刷条件に基づいて前記印刷部及び搬送部を制御する段階と、を含み、前記（ｃ）の段階において、他の画像データについての前記（ａ）、（ｂ）の段階を実行可能であり、前記印刷条件は、画像データの識別コードを含み、前記設定された前記識別コードを含む印刷条件を、前記印刷開始命令が受け付けられた順番で順次記憶し、印刷処理を行う際に、記憶された前記設定された前記識別コードを含む印刷条件を、記憶された順番で、先に記憶されたものから順次呼び出し、該識別コードを用いて、該印刷条件に対応する画像データを、前記データ取得部により前記記録媒体から取得する、ことを特徴とする印刷制御方法であり、本発明の請求項６記載の記録媒体は、印刷を行う印刷部と、前記印刷部に紙を搬送する搬送部と、記録媒体から画像データを取得するデータ取得部とを備えるプリンタを制御するためのコンピュータプログラムを記録した記録媒体であって、（ａ）印刷を所望する画像データの指定と前記画像データに対して設定された印刷条件と前記画像データの印刷開始命令とを受け付ける手順と、（ｂ）前記印刷開始命令が受け付けられたとき前記指定された画像データに関連付けて前記設定された印刷条件を記憶する手順と、（ｃ）前記指定された画像データを前記記録媒体から取得し、前記設定された印刷条件を呼び出し、前記取得された画像データ及び呼び出された印刷条件に基づいて前記印刷部及び搬送部を制御する手順と、を含み、前記（ｃ）の手順を実行中に、他の画像データについての前記（ａ）、（ｂ）の手順を実行可能であり、前記印刷条件は、画像データの識別コードを含み、前記設定された前記識別コードを含む印刷条件を、前記印刷開始命令が受け付けられた順番で順次記憶し、印刷処理を行う際に、記憶された前記設定された前記識別コードを含む印刷条件を、記憶された順番で、先に記憶されたものから順次呼び出し、該識別コードを用いて、該印刷条件に対応する画像データを、前記データ取得部により前記記録媒体から取得するコンピュータプログラムを記録した記録媒体、である。」と訂正する。
（５４）【発明の名称】
プリンタ、印刷制御方法及び記録媒体
（５７）【特許請求の範囲】
　【請求項１】　印刷を行う印刷部と、前記印刷部に紙を搬送する搬送部とを備えるプリンタであって、
　記録媒体から画像データを取得するデータ取得部と、
印刷を所望する画像データと前記画像データの印刷条件を設定する印刷設定手段と、前記設定された印刷条件を確定する印刷条件確定手段とを有する入力部と、
　複数の画像データの各々に対して確定された前記印刷条件を前記各画像データに関連付けて順次記憶可能な記憶部と、
　前記設定された画像データを前記データ取得部から取得し、前記記憶部から前記確定された印刷条件を呼び出し、前記取得した画像データ及び呼び出された印刷条件に基づいて前記印刷部及び搬送部を制御する制御部と、
を備え、
　前記印刷条件は、画像データの識別コードを含み、
　前記記憶部には、確定された前記識別コードを含む印刷条件が、前記印刷条件確定手段が操作された順番で順次記憶され、
　前記制御部は、印刷処理を行う際に、前記記憶部に記憶された前記確定された前記識別コードを含む印刷条件を、前記記憶部に記憶された順番で、先に記憶されたものから順次呼び出し、該識別コードを用いて、該印刷条件に対応する画像データを、前記データ取得部により前記記録媒体から取得する、
　ことを特徴とするプリンタ。
　【請求項２】前記制御部は、前記印刷条件確定手段から所定時間内に続けて入力される同一の画像データに対する同一の印刷条件を確定する指示データのうち、後に入力された指示データを無視する請求項１記載のプリンタ。
　【請求項３】前記入力部は、前記記憶部に記憶された複数の画像データの各々に対して確定された印刷条件を消去する取り消し手段を有する請求項１又は２に記載のプリンタ。
　【請求項４】印刷を行う印刷部と、前記印刷部に紙を搬送する搬送部と、記録媒体から画像データを取得するデータ取得部とを備えるプリンタを制御する印刷制御方法であって、
（ａ）　印刷を所望する画像データの指定と前記画像データに対して設定された印刷条件と前記画像データの印刷開始命令とを受け付ける段階と、
（ｂ）　前記印刷開始命令が受け付けられたとき前記指定された画像データに関連付けて前記設定された印刷条件を記憶する段階と、
（ｃ）　前記指定された画像データを前記記録媒体から取得し、前記設定された印刷条件を呼び出し、前記取得された画像データ及び呼び出された印刷条件に基づいて前記印刷部及び搬送部を制御する段階と、を含み、
　前記（ｃ）の段階において、他の画像データについての前記（ａ）、（ｂ）の段階を実行可能であり、
　前記印刷条件は、画像データの識別コードを含み、
　前記設定された前記識別コードを含む印刷条件を、前記印刷開始命令が受け付けられた順番で順次記憶し、
　印刷処理を行う際に、記憶された前記設定された前記識別コードを含む印刷条件を、記憶された順番で、先に記憶されたものから順次呼び出し、該識別コードを用いて、該印刷条件に対応する画像データを、前記データ取得部により前記記録媒体から取得する、
　ことを特徴とする
　【請求項５】同一の画像データに対する同一の印刷条件を設定する印刷開始命令が所定時間内に続けて受け付けられた場合、後の印刷開始命令を無視する段階を含む請求項４記載の印刷制御方法。
　【請求項６】印刷を行う印刷部と、前記印刷部に紙を搬送する搬送部と、記録媒体から画像データを取得するデータ取得部とを備えるプリンタを制御するためのコンピュータプログラムを記録した記録媒体であって、
（ａ）　印刷を所望する画像データの指定と前記画像データに対して設定された印刷条件と前記画像データの印刷開始命令とを受け付ける手順と、
（ｂ）　前記印刷開始命令が受け付けられたとき前記指定された画像データに関連付けて前記設定された印刷条件を記憶する手順と、
（ｃ）　前記指定された画像データを前記記録媒体から取得し、前記設定された印刷条件を呼び出し、前記取得された画像データ及び呼び出された印刷条件に基づいて前記印刷部及び搬送部を制御する手順と、を含み、
　前記（ｃ）の手順を実行中に、他の画像データについての前記（ａ）、（ｂ）の手順を実行可能であり、
　前記印刷条件は、画像データの識別コードを含み、
　前記設定された前記識別コードを含む印刷条件を、前記印刷開始命令が受け付けられた順番で順次記憶し、
　印刷処理を行う際に、記憶された前記設定された前記識別コードを含む印刷条件を、記憶された順番で、先に記憶されたものから順次呼び出し、該識別コードを用いて、該印刷条件に対応する画像データを、前記データ取得部により前記記録媒体から取得する
　【請求項７】同一の画像データに対して同一の印刷条件を設定する印刷開始命令が所定時間内に続けて受け付けられた場合、後の印刷開始命令を無視する手順を含む請求項６記載のコンピュータプログラムを記録した記録媒体。
【発明の詳細な説明】
　【０００１】
　【発明の属する技術分野】
　本発明は、プリンタ、印刷制御方法及び記録媒体に関する。
　【０００２】
　【従来の技術】
　一般に、電子データをプリンタによって印刷する場合、プリンタに接続するパソコンによって印刷条件を設定し、パソコンによって印刷開始を命令する。印刷開始が命令されると、印刷対象の電子データをパソコンのメモリから呼び出して印刷条件の設定に基づく印刷データとしてプリンタのメモリに伝送する。
　【０００３】
　近年、デジタルカメラの普及に伴い、デジタルカメラによって画像を記録したメモリカード等の記録媒体を読み取ってテレビ画面上に画像を映し出すとともに、紙面に印刷することが可能なプリンタが市場に供給されている。また、プリンタに表示装置を設け、表示装置上で画像を指定して印刷することが可能なプリンタが市場に供給されている。これらのプリンタによると、テレビ画面上でデジタルカメラによって記録した画像について印刷条件を設定し、或いは、表示装置上で画像を指定して、プリンタによって印刷開始を命令することができる。印刷開始が命令されると、印刷対象の電子データをプリンタのメモリや記録媒体から呼び出して印刷条件の設定に基づいて印刷を開始する。
　【０００４】
　【発明が解決しようとする課題】
　しかし、パソコンによって印刷開始を命令するプリンタによると、印刷条件が設定されて印刷開始が命令されるたびに印刷対象の電子データをパソコンのメモリから呼び出して印刷条件の設定に基づく印刷データとしてプリンタのメモリに伝送する。このため、印刷対象の電子データが印刷条件の設定に基づく印刷データとしてプリンタのメモリに伝送されるまでは別の作業に移行することができない。このため、印刷対象の電子データのデータ量が大きいと長時間にわたってパソコン上の作業が中断されるという問題があった。
　【０００５】
　また、プリンタ自体で印刷開始を命令することができるプリンタによると、印刷条件が設定されて印刷開始が命令されるたびに印刷対象の電子データをプリンタのメモリや記録媒体から呼び出して印刷条件の設定に基づいて印刷を実行する。このため、印刷対象の電子データが呼び出されて印刷条件の設定に基づいて印刷が完了するまでは次の印刷条件を設定することができない。１回の印刷が完了するには長時間を要し、特に印刷対象が画像である場合は１回の印刷が完了するのに数分を要することがある。このため、複数の印刷条件を設定する場合、最後の印刷条件を設定するまでユーザは長時間プリンタから離れることができず大変不便であるという問題があった。
　【０００６】
　本発明は上記の問題を解決するために案出されたものであり、短時間に複数の印刷条件の設定を連続して受け付けることのできるプリンタ、印刷制御方法及び記録媒体を提供することを目的とする。
　【０００７】
　本発明の別の目的は、印刷条件を設定した後即座に別の作業に移ることのできるプリンタ、印刷制御方法及び記録媒体を提供することにある。
　【０００８】
　本発明のまた別の目的は、誤操作による不測の重複印刷を防止することのできるプリンタ、印刷制御方法及び記録媒体を提供することにある。
　【０００９】
　【課題を解決するための手段】
　
本発明の請求項１記載のプリンタは、印刷を行う印刷部と、前記印刷部に紙を搬送する搬送部とを備えるプリンタであって、記録媒体から画像データを取得するデータ取得部と、印刷を所望する画像データと前記画像データの印刷条件を設定する印刷設定手段と、前記設定された印刷条件を確定する印刷条件確定手段とを有する入力部と、複数の画像データの各々に対して確定された前記印刷条件を前記各画像データに関連付けて順次記憶可能な記憶部と、前記設定された画像データを前記データ取得部から取得し、前記記憶部から前記確定された印刷条件を呼び出し、前記取得した画像データ及び呼び出された印刷条件に基づいて前記印刷部及び搬送部を制御する制御部と、を備え、前記印刷条件は、画像データの識別コードを含み、前記記憶部には、確定された前記識別コードを含む印刷条件が、前記印刷条件確定手段が操作された順番で順次記憶され、前記制御部は、印刷処理を行う際に、前記記憶部に記憶された前記確定された前記識別コードを含む印刷条件を、前記記憶部に記憶された順番で、先に記憶されたものから順次呼び出し、該識別コードを用いて、該印刷条件に対応する画像データを、前記データ取得部により前記記録媒体から取得する、ことを特徴とするプリンタ、である。
　【００１０】
　本発明の請求項２記載のプリンタによると、制御部は、印刷条件確定手段から所定時間内に続けて発信される同一の画像データに対する同一の印刷条件を確定するオーダ信号のうち後に発信されたオーダ信号を無視する。このため、誤操作による不測の重複印刷を防止することができる。
　【００１１】
　【００１２】
　本発明の請求項３記載のプリンタによると、入力部は、記憶部に記憶された複数の画像データの各々に対して確定された印刷条件を消去する取り消し手段を有する。このため、印刷開始を命令した後に不要な印刷設定データを消去し、無駄な印刷を防止することができる。
　【００１３】
　
本発明の請求項４記載の印刷制御方法は、印刷を行う印刷部と、前記印刷部に紙を搬送する搬送部と、記録媒体から画像データを取得するデータ取得部とを備えるプリンタを制御する印刷制御方法であって、　（ａ）　印刷を所望する画像データの指定と前記画像データに対して設定された印刷条件と前記画像データの印刷開始命令とを受け付ける段階と、（ｂ）　前記印刷開始命令が受け付けられたとき前記指定された画像データに関連付けて前記設定された印刷条件を記憶する段階と、（ｃ）　前記指定された画像データを前記記録媒体から取得し、前記設定された印刷条件を呼び出し、前記取得された画像データ及び呼び出された印刷条件に基づいて前記印刷部及び搬送部を制御する段階と、を含み、前記（ｃ）の段階において、他の画像データについての前記（ａ）、（ｂ）の段階を実行可能であり、前記印刷条件は、画像データの識別コードを含み、前記設定された前記識別コードを含む印刷条件を、前記印刷開始命令が受け付けられた順番で順次記憶し、印刷処理を行う際に、記憶された前記設定された前記識別コードを含む印刷条件を、記憶された順番で、先に記憶されたものから順次呼び出し、該識別コードを用いて、該印刷条件に対応する画像データを、前記データ取得部により前記記録媒体から取得する、ことを特徴とする印刷制御方法であり、本発明の請求項６記載の記録媒体は、印刷を行う印刷部と、前記印刷部に紙を搬送する搬送部と、記録媒体から画像データを取得するデータ取得部とを備えるプリンタを制御するためのコンピュータプログラムを記録した記録媒体であって、　（ａ）　印刷を所望する画像データの指定と前記画像データに対して設定された印刷条件と前記画像データの印刷開始命令とを受け付ける手順と、（ｂ）　前記印刷開始命令が受け付けられたとき前記指定された画像データに関連付けて前記設定された印刷条件を記憶する手順と、（ｃ）　前記指定された画像データを前記記録媒体から取得し、前記設定された印刷条件を呼び出し、前記取得された画像データ及び呼び出された印刷条件に基づいて前記印刷部及び搬送部を制御する手順と、を含み、前記（ｃ）の手順を実行中に、他の画像データについての前記（ａ）、（ｂ）の手順を実行可能であり、前記印刷条件は、画像データの識別コードを含み、前記設定された前記識別コードを含む印刷条件を、前記印刷開始命令が受け付けられた順番で順次記憶し、印刷処理を行う際に、記憶された前記設定された前記識別コードを含む印刷条件を、記憶された順番で、先に記憶されたものから順次呼び出し、該識別コードを用いて、該印刷条件に対応する画像データを、前記データ取得部により前記記録媒体から取得するコンピュータプログラムを記録した記録媒体、である。
　【００１４】
　本発明の請求項５記載の印刷制御方法又は請求項７記載の記録媒体によると、同一の画像データに対する同一の印刷条件を設定する印刷開始命令が所定時間内に続けて受け付けられた場合、後の印刷開始命令を無視する段階（手順）を含む。このため、誤操作による不測の重複印刷を防止することができる。
　【００１５】
　【発明の実施の形態】
　以下、本発明の実施の形態を示す一実施例を図面に基づき詳細に説明する。
　【００１６】
　本発明の一実施例によるプリンタは、図１に示すように、搬送部１と、印刷部２と、制御部３と、表示部４と、入力部５と、記憶部６と、第１データ取得部７と、第２データ取得部８とを有する。搬送部１と、印刷部２と、制御部３と、表示部４と、入力部５と、記憶部６と、第１データ取得部７と、第２データ取得部８とは箱型のハウジング９に備えられる。本実施例によるプリンタは、第１データ取得部７又は第２データ取得部８から取得した電子データを制御部３によって駆動される印刷部２において印刷することが可能である。
　【００１７】
　ハウジング９は、図２に示すように、上面に表示部４及び入力部５を備え、前面に第１データ取得部７と電源スイッチ９１とインク切れや用紙切れを知らせる警告ランプ９２とを備え、背面に図示しない第２データ取得部８を備え、内部に図示しない搬送部１と、印刷部２と、制御部３と、記憶部６とを備える。ハウジング９の上面と前面下部には、それぞれ用紙供給口９３と用紙排出口９４とが形成される。用紙供給口９３には用紙トレー９５が、用紙排出口９４には用紙受け９６がそれぞれ取り外し可能に係止される。
　【００１８】
　図示しない搬送部１は、用紙供給口９３と用紙排出口９４の間のハウジング９内部に備えられ、モータにより駆動される搬送ローラと、搬送ローラに接触して摩擦により用紙を搬送する従動ローラとを有する。搬送ローラと従動ローラとは、ゴムなどの滑りにくい材料からなる。搬送部１は、搬送ローラと従動ローラが回転することにより、用紙供給口９３から用紙排出口９４に用紙を搬送する機構である。
　【００１９】
　図示しない印刷部２は、搬送部１に隣接して備えられ、インクタンクとインクジェットヘッドを搭載したキャリッジと、ステップモータと、用紙の搬送される方向と直行する方向に備えられるキャリッジレールとを有する。印刷部２は、公知のインクジェット方式により印刷を行う。詳しくは、用紙と対向する位置でステップモータにより駆動されるキャリッジがキャリッジレール上を往復移動し、搬送部１によって搬送される用紙にインクジェットヘッドからインクタンク内のインクを噴射して印刷を行う。なお、印刷部２としてレーザ方式やドットインパクト方式等を用いることも可能である。
　【００２０】
　図示しない制御部３は、ＣＰＵを有する。制御部３は、第１データ取得部７又は第２データ取得部８から電子データを記憶部６に伝送し、入力部５のオーダ信号を受信し識別子を付して印刷条件を表わす印刷設定データとして記憶部６に伝送する。また、記憶部６から印刷設定データ及び電子データを呼び出し、呼び出した印刷設定データ及び電子データに基づいて印刷ファイルを記憶部６に展開し、その印刷ファイルに基づいて搬送部１及び印刷部２を制御する。また、記憶部６から種々の情報を取り出して表示部４に表示してユーザインターフェースを提供する。
　【００２１】
　図示しない記憶部６は、制御用プログラムが記録されたＲＯＭと、電子データ及び印刷設定データを一時的に記憶するＲＡＭとを有する。ＲＡＭは、制御部３から伝送される印刷設定データを順に後述するタスクリストに蓄積する。タスクリストは最大１９９件の印刷設定データを格納することができる。
　【００２２】
　入力部５はハウジング９上面に備えられ、図３に示すように、キーパネル５０上に種々のキーを有する。
　【００２３】
　印刷条件確定手段としてのプリント開始キー５０１は、キーパネル５０の最も手前すなわち第１データ取得部７に近い側に備えられ、すべてのキーの中で最も大きく目立つ形状を有し、操作面は透明の材料からなり操作面の内側に発光手段としての図示しないＬＥＤ（ｌｉｇｈｔ　ｅｍｉｔｔｅｄ　ｄｉｏｄｅ）が備えられる。このＬＥＤは、印刷開始が可能な状態で点滅するように制御される。プリント開始キー５０１は、押圧されることによって、表示部４に表示される印刷条件の設定に対応するオーダ信号を制御部３に伝送して印刷条件を確定する。プリント開始キー５０１に備えられるＬＥＤが点滅しているときにプリント開始キー５０１が押圧されると、オーダ信号が発信される。
　【００２４】
　印刷設定手段としての全印刷キー５０２とインデックスキー５０３とは、キーパネル５０の最も手前にプリント開始キー５０１と並んで備えられ、全てのキーの中でプリント開始キー５０１に次いで大きく、角の丸まった長方形の形状を有し、操作面は透明の材料からなりそれぞれの操作面の内側に発光手段としての図示しないＬＥＤが備えられる。
　【００２５】
　印刷設定手段としての範囲指定キー５０５と１コマキー５０４とは、全印刷キー５０２とインデックスキー５０３の奥に並んで備えられ、それらに比べて一回り小さい楕円形状を有し、操作面は透明の材料からなりそれぞれの操作面の内側に発光手段としてのＬＥＤが備えられる。
　【００２６】
　全印刷キー５０２、インデックスキー５０３、範囲指定キー５０５及び１コマキー５０４は、そのうちのいずれか１つを選択できるキーであって、選択されているキーのＬＥＤが発光する。
　【００２７】
　印刷設定手段としての上キー５０６と下キー５０７とは、１コマキー５０４の奥すなわち表示部４に近い側に縦に並んで備えられ、それぞれ線対称な三角形状を有する。
　【００２８】
　印刷設定手段としての右キー５０９と左キー５０８とは、上キー５０６と下キー５０７に隣接してプリント開始キー５０１の奥に横に並んで備えられ、範囲指定キー５０５や１コマキー５０４より小さく、それぞれ線対称な三角形状を有する。右キー５０９と左キー５０８とは、表示部４の各セクションにおける印刷条件の細目を変更する。
　【００２９】
　印刷設定手段としてのフレームキー５１０とフィルタキー５１１とは、プリント開始キー５０１の奥で右キー５０９と左キー５０８の手前に備えられ、全てのキーの中で最も小さく目立たない形状を有する。
　【００３０】
　取り消し手段としての中止キー５１２は、プリント開始キー５０１の奥に備えられ、フレームキー５１０及びフィルタキー５１１より一回り大きい形状である。中止キー５１２が押されると、制御部３はタスクリストに蓄積されている印刷設定データをすべて消去する。
　【００３１】
　表示部４は、ハウジング９上面に入力部５の奥に隣接して備えられる。表示部４は、セグメント式の液晶パネルで、選択セクション４０１、及び印刷条件の細目を表示する用紙種類セクション４０２、用紙サイズセクション４０３、レイアウトセクション４０４、写真サイズセクション４０５、写真選択セクション４０６、枚数セクション４０７、画質セクション４０８並びに自動調整セクション４０９に分かれている。液晶パネルの全セグメントを点燈させた状態を図３に示す。表示部４で選択される指示データとしての表示内容に対応する印刷条件は、プリント開始キー５０１が押圧されることによってオーダ信号として制御部３に伝送される。
　【００３２】
　選択セクション４０１は、上キー５０６と下キー５０７によって、他のセクションを選択的に指し示す三角形を表示し、そのセクションをアクティブにするセクションである。アクティブなセクションでは、右キー５０９と左キー５０８によって印刷条件の細目における選択肢の表示を切り替えることが可能である。
　【００３３】
　用紙種類セクション４０２は、印刷条件の細目における選択肢として、普通紙、フォトプリント紙及びスーパーファイン紙を表示するセクションである。
　【００３４】
　用紙サイズセクション４０３は、印刷条件の細目における選択肢として、はがき、フォトカード及びＡ４を表示するセクションである。
　【００３５】
　レイアウトセクション４０４は、印刷条件の細目における選択肢として、上寄り、下寄り、中央、全体、インデックス及び切り取りガイド付き等を表示がするセクションである。ガイド付きが選択されると画像にトンボを付して印刷することが可能である。
　【００３６】
　写真サイズセクション４０５は、印刷条件の細目における選択肢として、４Ｌ、２Ｌ、４×６、Ｌ、Ｅ及びカードを表示するセクションである。写真サイズセクション４０５の表示は、用紙サイズとレイアウトの設定によって決定される。
　【００３７】
　写真選択セクション４０６は、主に印刷条件の細目における選択肢として、印刷指定画像の識別コードの０から１９９までの数字を表示するセクションである。
　【００３８】
　枚数セクション４０７は、印刷条件の細目における選択肢として、主に印刷枚数として０から１９９までの数字を表示するセクションである。
　【００３９】
　画質セクション４０８は、印刷条件の細目における選択肢として、高画質、高速、超高画質を表示するセクションである。
　【００４０】
　自動調整セクション４０９は、オートフォトファインとなしに表示が切り替わるセクションである。
　【００４１】
　第１データ取得部７は、図２に示すようにハウジング９前面上方に備えられ、カードスロット７１と、記録媒体に記録された電子データを読み出して制御部３に伝送する図示しないリーダとを有する。カードスロット７１には、記録媒体としてＰＣＭＣＩＡ規格のメモリカード、又は一般にデジタルカメラに用いられているコンパクトフラッシュカード等の記録媒体をアダプタとともに挿入することができる。
　【００４２】
　図示しない第２データ取得部８は、ハウジング９背面に備えられ複数のコネクタを有する。第２データ取得部８は、パソコン或いはデジタルカメラと接続するときのインターフェースであり、それらの外部接続機器から取り出した電子データを制御部３に伝送する。
　【００４３】
　以下、上述のプリンタの作動について説明する。プリンタの印刷は、説明上、通常プリント、インデックスプリント、焼き増しプリント、詳細設定プリント及び連続プリントに区分される。
　【００４４】
　電源スイッチ９１をオンにすると、制御用プログラムが立ち上がる。
　【００４５】
　（１）通常プリント
　制御部３は第１データ取得部７と第２データ取得部８の両方の電子データを監視しており、最先の電子データを優先的に処理する。このため、第２データ取得部８にケーブルでパソコンが接続されてパソコンから印刷命令があると、表示部４の表示は消え、以降パソコンの制御によってプリンタは駆動される。
　【００４６】
　（２）インデックスプリント
　カードスロット７１にメモリカードを挿入した後、インデックスキー５０３を押すと全印刷キー５０２が消え、インデックスキー５０３が点燈する。そして表示部４には、図５に示すように制御用プログラムの印刷初期条件として、用紙種類セクション４０２にフォトプリント紙、用紙サイズセクション４０３にはがき、レイアウトセクション４０４にインデックス、画質セクション４０８に高速及び写真選択セクション４０６にメモリカードから読み出した画像データの総数が表示され、枚数セクション４０７に印刷枚数として１が表示される。
　【００４７】
　カードスロット７１にメモリカードを挿入しインデックスキー５０３を押した後、点滅しているプリント開始キー５０１を押すとオーダ信号が発信され、メモリカードに記録されたサムネイル画像データを読み出し、表示部４の表示にしたがって図６に示すように、はがきサイズの用紙１枚につき縦４列横４列に１６コマの画像を識別コード１０２付きのインデックスとして印刷する。サムネイル画像データを読み出して印刷するため印刷スピードは非常に高速である。このようにして印刷することを以後インデックスプリントという。
　【００４８】
　（３）焼き増しプリント
　インデックスプリントによってインデックスを印刷した後、１コマキー５０４を押すとインデックスキー５０３が消え、１コマキー５０４が点燈する。そして表示部４には、図６に示すように制御用プログラムの印刷初期条件として、用紙種類セクション４０２にフォトプリント紙、用紙サイズセクション４０３にはがき、レイアウトセクション４０４に全体、写真サイズセクション４０５にＬ、画質セクション４０８に高画質、自動調整セクション４０９にオートフォトファイン及び写真選択セクション４０６と枚数セクション４０７に１が表示される。このとき、写真選択セクション４０６がアクティブである。
　【００４９】
　次に、右キー５０９又は左キー５０８を操作してインデックスに印刷された画像のうち印刷したい画像の識別コードを写真選択セクション４０６で指定する。点滅しているプリント開始キー５０１を押すと、オーダ信号が発信され指定した識別コードの画像が表示部４に表示された設定によって印刷される。
　【００５０】
　（４）詳細設定プリント
　上述のインデックスプリント及び焼き増しプリントにおいて、上キー５０６または下キー５０７を操作して印刷条件の細目を変更したいセクションを選択し、各セクションにおいて用紙種類、用紙サイズ、画質、自動調整等の設定を変更して任意の印刷条件を設定した後にプリント開始キー５０１を押して印刷することも可能である。このように、任意の印刷条件を設定した後にプリント開始キー５０１を押して印刷することを以後詳細設定プリントという。
　【００５１】
　（５）連続プリント
　上述のインデックスプリント、焼き増しプリント及び詳細設定プリントにおいてプリント開始キー５０１を押した後、さらに連続して印刷条件を設定して印刷開始を命令するときの印刷制御方法を図７及び図８に基づいて説明する。プリント開始キー５０１を押して印刷開始を命令し、表示部４に表示される指示データに基づいたオーダ信号が制御部３で受信されると、オーダ信号は制御部３において識別子が付されて印刷設定データとして記憶部６に伝送され、記憶部６のタスクリストの最後部に印刷設定データが追加されてオーダ信号の受信待ち状態になる。この一連の作動は制御部３が搬送部１及び印刷部２を制御している状態であってもリアルタイム処理によって平行して行われる。
　【００５２】
　タスクリストは、概念上図８に示すようなものとして把握されるものである。すなわち、ＲＡＭ空間上に予め１９９件の印刷設定データを格納する空間を有し、それぞれの空間に識別子の付された印刷条件データを順に格納する。
　【００５３】
　図７に示すように、制御部３は、タスクリストの最前部にデータが格納されていれば（Ｓ１０）、タスクリストの最前部に格納された印刷設定データを呼び出し（Ｓ２０）、識別コードによって印刷設定データに対応する電子データを第１データ取得部７から呼び出し（Ｓ３０）、呼び出した印刷設定データ及び電子データに基づいて印刷ファイルを記憶部６に展開し、その印刷ファイルに基づいて搬送部１及び印刷部２を駆動して印刷する（Ｓ４０）。１つの印刷設定データに対応する印刷が終了するとその印刷設定データをＲＡＭから消去し（Ｓ５０）、他の印刷設定データがタスクリストに格納されている場所をそれぞれ１つずつ繰り上げる（Ｓ６０）。さらに、タスクリストに印刷設定データが格納されていれば（Ｓ１０）、タスクリストの最前部に格納された印刷設定データを呼び出し連続して印刷を行う。
　【００５４】
　また、連続プリントにおいて何ら設定が変更されずに同一の印刷条件が設定された状態で３秒以内に繰り返しプリント開始キー５０１が押されると、制御部３は連続するオーダ信号のうち後のものを無視する。
　【００５５】
　本実施例のプリンタによると、制御部３はオーダ信号をＲＡＭのタスクリストに蓄積しタスクリストから印刷設定データを呼び出して印刷を制御するため、常にオーダ信号を受け付けることができる。このため、印刷終了を待たずに連続して印刷条件の設定を行うことができる。
　【００５６】
　さらに、複数の印刷を行うときは一度に連続して印刷条件の設定を行うことができるため、印刷条件を短時間に設定することができる。
　【００５７】
　また、３秒以内に同一の識別コードに対する同一の印刷条件の設定でプリント開始キー５０１が連続して押されると、後のオーダ信号が無視されるため誤操作による不測の重複印刷を防止することができる。
　【００５８】
　本実施例は、プリンタのＲＯＭに保存された制御用プログラムを実行することによって印刷するプリンタにのみ基づいて説明された。しかし、オーダ信号をＲＡＭのタスクリストに格納しタスクリストから印刷設定データを呼び出して印刷を制御する方法は、プリンタのみならずパソコンのＯＳ或いはプリンタドライバに応用することが可能である。また、この方法を使用する制御プログラムを記録した記録媒体を提供することによってパソコンの印刷命令時の制御又はプリンタドライバを変更し、連続的な印刷条件の設定が可能な操作環境を実現し、或いは印刷条件の設定を短時間で終えて次の作業に移行することが可能な操作環境を実現することができる。
【図面の簡単な説明】
　【図１】
　本発明の実施例によるプリンタを示すブロック図である。
　【図２】
　本発明の実施例によるプリンタを示す斜視図である。
　【図３】
　本発明の実施例における表示部と入力部を示す平面図である。
　【図４】
　本発明の実施例における表示部と入力部を示す平面図である。
　【図５】
　本発明の実施例におけるインデックスを示す模式図である。
　【図６】
　本発明の実施例における表示部と入力部を示す平面図である。
　【図７】
　本発明の実施例における印刷制御方法を示すフローチャートである。
　【図８】
　本発明の実施例におけるタスクリストを示す模式図である。
　【符号の説明】
　１　搬送部
　２　印刷部
　３　制御部
　５　入力部
　６　記憶部
　７　第１データ取得部
　５０１　プリント開始キー（印刷条件確定手段）
　５０２　全印刷キー（印刷設定手段）
　５０３　インデックスキー（印刷設定手段）
　５０５　範囲指定キー（印刷設定手段）
　５０４　１コマキー（印刷設定手段）
　５０６　上キー（印刷設定手段）
　５０７　下キー（印刷設定手段）
　５０８　右キー（印刷設定手段）
　５０９　左キー（印刷設定手段）
　５１２　中止キー（取り消し手段）